(57)【要約】【課題】  空気調和機の室内ユニットは、空気中に塵埃を多く含む室内において長時間の冷房又は暖房運転を行う場合、エアフィルタに付着する塵埃が多くなり、いわゆるエアフィルタが目詰まりした状態で冷房又は暖房運転を行うこととなる。これにより送風機の送風効率が低下し、空気調和機の性能低下に繋がる。【解決手段】  室内熱交換器と、室内の空気を吸込んで室内熱交換器に送風する送風機と、送風機の吸込側に設けられ塵埃を集塵するためのエアフィルタと、エアフィルタに集塵された塵埃を除去する塵埃除去手段を備えた空気調和機の室内ユニットにおいて、塵埃除去手段への送風を遮断する遮蔽手段を備え、送風機による送風を行いつつエアフィルタの塵埃除去運転を行う。【選択図】図５
2012112586.tif 000002
【特許請求の範囲】
【請求項１】
室内熱交換器と、
室内の空気を吸込んで前記室内熱交換器に送風する送風機と、
前記送風機の吸込み側に設けられ塵埃を集塵するためのエアフィルタと、
前記エアフィルタに集塵された塵埃を除去する塵埃除去手段と、
を備えた空気調和機の室内ユニットにおいて、
前記塵埃除去手段への送風の一部又は全部を遮断する遮蔽手段を備え、
前記送風機による送風を行いつつエアフィルタの塵埃除去運転を行うことを特徴とする空気調和機の室内ユニット。
【請求項２】
前記遮蔽手段が、前記エアフィルタを前記塵埃除去手段に押さえつける機能を有することを特徴とする請求項１に記載の空気調和機の室内ユニット。
【発明の詳細な説明】
【技術分野】
【０００１】
本発明の実施の形態は、空気調和機の室内ユニットに関する。
【背景技術】
【０００２】
空気調和機の室内ユニットには、室内熱交換器と、室内熱交換器に送風し熱交換を促進させるための送風機と、送風される空気に含まれる塵埃を集塵するためのエアフィルタと、エアフィルタに集塵された塵埃を除去するための塵埃除去手段が備えられている。
【０００３】
一般的な塵埃除去手段は、エアフィルタの風上側表面に集塵された塵埃を、エアフィルタに回転ブラシ等を当接して除去するものである。
このような空気調和機の室内ユニットの塵埃除去運転は、冷房運転又は暖房運転の終了後に、送風機が停止している状態で行われる。
【先行技術文献】
【特許文献】
【０００４】
【特許文献１】特開２００９−１９８１５６号公報
【発明の概要】
【発明が解決しようとする課題】
【０００５】
しかし、上述のような空気調和機の室内ユニットは、空気中に塵埃を多く含む室内において長時間の冷房又は暖房運転を行う場合、エアフィルタに付着する塵埃が多くなり、いわゆるエアフィルタが目詰まりした状態で冷房又は暖房運転を行うこととなる。
これにより送風機の送風効率が低下し、空気調和機の性能低下に繋がる。
【課題を解決するための手段】
【０００６】
本発明の実施形態によれば、室内熱交換器と、室内の空気を吸込んで室内熱交換器に送風する送風機と、送風機の吸込側に設けられ塵埃を集塵するためのエアフィルタと、エアフィルタに集塵された塵埃を除去する塵埃除去手段を備えた空気調和機の室内ユニットにおいて、塵埃除去手段への送風を遮断する遮蔽手段を備え、送風機による送風を行いつつエアフィルタの塵埃除去運転を行う。
【図面の簡単な説明】
【０００７】
【図１】本発明の実施形態に係る室内ユニットの縦断面図。
【図２】本発明の第１の実施形態に係る塵埃除去手段の概略斜視図。
【図３】本発明の第１の実施形態に係る塵埃除去手段の縦断面図。
【図４】本発明の第１の実施形態に係る塵埃除去手段とエアフィルタの概略斜視図。
【図５】本発明の第１の実施形態に係る制御器のブロック図。
【図６】本発明の第２の実施形態に係る塵埃除去運転の概略図。
【図７】本発明の第２の実施形態に係る遮蔽手段の下方斜視図（ｂ）と塵埃除去手段とエアフィルタと遮蔽手段の上面斜視図。
【図８】本発明の第２の実施形態に係る塵埃除去運転の概略図。
【図９】本発明の実施形態に係るエアフィルタを傾けて設けた場合の概略図。
【発明を実施するための形態】
【０００８】
図１乃至図９を用いて本発明の実施形態について説明を行う。
（第１の実施形態）
図１に、本実施形態の空気調和機の室内ユニット１の断面の概略図を示す。
室内ユニット１は壁掛け型や天井埋め込み型など種々の形態があるが本実施形態では天井埋め込み式の４方向カセット型の室内ユニットについて説明する。
【０００９】
室内ユニット１は、外面を覆う、ケーシング本体１１と化粧パネル１２を備えている。このケーシング本体１１内には、室内熱交換器１０５と、ドレンパン３８を備えたチャンバ３７と、送風機３９と、エアフィルタ４０と、塵埃除去手段５０と、塵埃貯留容器６０と、遮蔽手段７０が設けられている。また室内ユニット１の運転を制御するための制御器１００（図５参照）が設けられている。この制御器１００には、使用者が空気調和機を操作するためのリモコン１０６が接続されている。
【００１０】
ケーシング本体１１は下部が開口した略直方体形状をしており、ケーシング本体１１の内面は、断熱材１７で覆われている。また、ケーシング本体１１は、下部が設置される室内の天井板の開口を挿通した状態で設置されるように、天井裏の天井面から吊り下げ支持されるようになっている。
【００１１】
化粧パネル１２は、平面視で略矩形の板状に形成されており、ケーシング本体１１の下方を覆うように設置される。ケーシング本体１１に取り付けられた化粧パネル１２は、室内ユニット１が室内の天井Ａへ据付けられた状態において、室内側に露出するようになっている。
【００１２】
化粧パネル１２には、中央部に矩形状の吸込口２２が設けられており、吸込口２２には、複数のスリット状の通気口２９ａが形成された吸込グリル２９が嵌め込まれている。吸込口２２の周囲には、四方を取り囲むよう細長い矩形状の吹出口２３が設けられている。各吹出口２３には、風向調整板２３ａが設けられており、この風向調整板２３ａは、回動して風向（吹出方向）を調整するように構成されている。
【００１３】
ケーシング本体１１内の化粧パネル１２上方にはシール部材１９を挟んで、チャンバ３７が設けられている。チャンバ３７は、吸込口２２から吸込まれた空気を導通する吸込室３７ａと、吹出口から吹出す空気を導通する吹出室３７ｂを備えている。
【００１４】
チャンバ３７の吸込室３７ａ上部には溝状のドレンパン３８が形成されており、室内熱交換器１０５を支持している。
室内熱交換器１０５は、プレートフィンチューブ型熱交換器として形成されている。室内熱交換器１０５は、平面視でロ字状に形成され、室内ユニット１内の中央部に位置する送風機３９を囲むように配置されている。室内熱交換器１０５では、送風機３９によって送られる室内空気と室内熱交換器１０５内を流通する冷媒との間で熱交換が行われる。
【００１５】
ドレンパン３８は、室内熱交換器１０５の下側に平面視で環状に設けられており、室内熱交換器１０５において空気中の水分が凝縮して生じるドレン水を受けるように形成されている。ドレンパン３８には、ドレン水を排水するための図示しないドレンポンプが設けられている。ドレンパン３８は、ドレンポンプを設置した箇所にドレン水が集まるように勾配がつけられている。
【００１６】
送風機３９は、ファンモータ３９ａと羽根車３９ｂとで構成されている。送風機３９の下方には、吸込口２２に連通するようにベルマウス２５が設けられており、ケーシング本体１１の中央付近に配置されている。ファンモータ３９ａは、ケーシング本体１１の天板に固定されている。羽根車３９ｂは、いわゆるターボファンであり、吸込口２２からベルマウス２５を介して、回転軸方向に吸込んだ空気を回転半径方向へ吹出すものであり、ファンモータ３９ａの回転軸に連結されている。
【００１７】
ベルマウス２５と
吸込口２２の間には、室内空気中に含まれる塵埃を捕捉するためのエアフィルタ４０が設けられている。エアフィルタ４０は、略正方形状の樹脂製枠内に繊維シートが溶着されて構成されている。
【００１８】
エアフィルタ４０の下面側には、塵埃除去手段５０と塵埃貯留容器６０が設けられており、上面側には遮蔽手段７０が設けられている。
【００１９】
図２に塵埃除去手段５０と塵埃貯留容器６０の斜視図を示し、図３にエアフィルタ４０と塵埃除去部５０と遮蔽手段７０の縦断面図を示す。
【００２０】
図２に示すように、塵埃除去手段５０は、回転ブラシ５１と、回転ブラシ５１を回転させるブラシ駆動モータ１０３を備えている。回転ブラシ５１は、ブラシ駆動モータ１０３に連結された棒状のシャフト部５１ａと、シャフト部５１ａ周囲に設けられた複数の植毛からなるブラシ部５１ｂとで構成されている。
回転ブラシ５１の軸方向長さ寸法は、エアフィルタ４０の一辺の長さ寸法Ｍと略同一である。回転ブラシ５１は、エアフィルタ４０の下面に当接して左右方向にまたがるように設けられている。
【００２１】
また、塵埃除去手段５０の下方には塵埃貯留容器６０が設けられている。塵埃貯留容器６０は塵埃収集口６０ａと貯留容器６０ｂと櫛部６２（図３参照）を有しており、回転ブラシ５１同様に、エアフィルタ４０を左右方向に横断するように長さ寸法Ｍと略同一の長さ寸法に形成されている。
【００２２】
図３に示すように、塵埃収集口６０ａの断面形状は、下方基端部から上方開口端部に向かって開口寸法が拡大しており、回転ブラシ５１の下方を囲むように形成されている。
塵埃貯留容器６０の内部には、回転ブラシ５１に付着した塵埃を除去するための櫛部６２が設けられている。この櫛部６２はブラシ部５１ｂの下方に当接して設けられており、回転ブラシ５１の回転に伴いブラシ部５１ｂを梳くようになっている。
【００２３】
エアフィルタ４０の上面側には、エアフィルタ４０を左右へ横断する平板状の遮蔽手段７０が設けられている。
遮蔽手段７０の前後方向（回転ブラシ５１の軸方向と直交する方向）の幅寸法Lは、回転ブラシ５１の直径Ｒと塵埃貯留容器６０の塵埃収集口６０ａの上端開口部の前後方向幅寸法Ｎａよりも大きく、貯留容器６０ｂの前後方向幅寸法Ｎｂよりも小さいか、又は略同一に形成されている。
【００２４】
遮蔽手段７０は上述の幅寸法Ｌを有することで、冷房運転又は暖房運転中のように送風機３９による送風がなされている場合において、塵埃除去手段５０の回転ブラシ５１への通風を遮断する遮蔽手段として機能する。
【００２５】
また、この遮蔽手段７０は、エアフィルタ４０を挟んで回転ブラシ５１の直上に平行しており、エアフィルタ４０を回転ブラシ５１に押付けるようにして配置されている。これにより、エアフィルタ４０に付着した塵埃を回転ブラシ５１のブラシ部５１ｂによって確実に且つ効率良く除去することができる。
ここで、遮蔽手段７０は、エアフィルタ４０を回転ブラシ５１に当接させ、回転ブラシ５１への通風を遮断することができれば種々の形状、形態を用いて良い。
【００２６】
図４にエアフィルタ４０と塵埃除去手段５０と塵埃貯留容器６０と遮蔽手段７０と移動機構８０の斜視図を示す。
移動機構８０は、塵埃除去手段５０と塵埃貯留容器６０及び遮蔽手段７０を一体的に、エアフィルタ８０の前後方向へ往復移動させる機能を有する。
【００２７】
移動機構８０は、エアフィルタ４０の左右両端部に設けられる左駆動部８１Ｌと右駆動部８１Ｒを有しており、塵埃除去手段５０と塵埃除去装置６０及び遮蔽手段７０を一体的に移動させる駆動ベルト連結部材８６を有している。
【００２８】
左駆動部８１Ｌと右駆動部８１Ｒは、それぞれ、エアフィルタ４０の前側部に設けられる前側歯車８２ａ、８２ａと、エアフィルタ４０の後側部に設けられた後側歯車８２ｂ、８２ｂとを備え、前側歯車８２ａ、８２ａと後側歯車８２ｂ、８２ｂにループ状に懸架された駆動ベルト８３、８３を有している。駆動ベルト８３、８３は、それぞれ始端８３ｓと終端８３ｅを有している。始端８３ｓと終端８３ｅは、駆動ベルト連結部材８６に固定される。この駆動ベルト連結部材８６、８６により、塵埃除去手段５０及び塵埃貯留容器６０と遮蔽手段７０は一体に取り付け固定されているため、ベルト８３の移動に伴い一体的に移動する。
【００２９】
左駆動部８１Ｌの前側歯車８２ａと右駆動部８１Ｒの前側歯車８２ａは、前側連結軸８４ａにより連結され、左駆動部８１Ｌの後側歯車８２ｂと右駆動部８１Ｒの後側歯車８２ｂは、後側連結部８４ｂにより連結されている。
また、前後左右４つの歯車８２の内、いずれか一つの歯車８２が、移動用モータ８５に連結される。ここでは、左駆動部８１Ｌの後側歯車８２ｂが、移動用モータ８５と連結される。
【００３０】
移動用モータ８５が、図４の実線矢印で示す回転方向（時計回り）に回転すると、その回転が左駆動部８１Ｌの後側歯車８２ｂに伝わり、後側連結軸８４ｂを介して右駆動部８１Ｒの後側の後側歯車８２ｂに伝わる。後側歯車８２ｂ、８２ｂの回転は、それぞれ駆動ベルト８３、８３を介して前側歯車８２ａ、８２ａに伝わり、駆動ベルト８３、８３の途中に設けられたベルト連結部材８６、８６がエアフィルタ４０の後方に向かって移動する。
移動用モータ８５が、図４に破線で示す回転方向（反時計回り）に回転すると、遮蔽手段７０、塵埃除去手段５０及び塵埃貯留手段６０は、エアフィルタ４０の前方に向かって移動する。
【００３１】
また、エアフィルタ４０の一端である前側部には、初期位置センサ１０１が設けられており、他端である後側部には反転用センサ１０２が設けられており、制御器１００に接続されている（図５参照）。初期位置センサ１０１と反転用センサ１０２は、塵埃除去手段５０と塵埃貯留容器６０と遮蔽手段７０が、エアフィルタ４０の前側部にあるか、後側部にあるかを検知するセンサであり、リミットスイッチや赤外線センサなど種々の位置センサを用いて良い。
【００３２】
以上のように、移動機構８０によって、遮蔽手段７０、塵埃除去手段５０及び塵埃貯留容器６０は一体的にエアフィルタ４０の前後方向に往復移動することができる。
【００３３】
上述した構成を有する室内ユニット１の運転状況について説明する。
冷房運転又は暖房運転が行われると、送風機３９のファンモータ３９ａが駆動し羽根車３９ｂが回転する。そして、吸込口２２から塵埃を含む室内空気が吸込まれ、エアフィルタ４０の下面から上面へと通り抜ける。このとき、室内空気に含まれる塵埃がエアフィルタ４０下面に付着する。室内空気は、ベルマウス２５と羽根車３９ｂを介して室内熱交換器１０５に送られる。室内熱交換器１０５で熱交換された後、室内空気は室内パネル１２の吹出し口２３を介して室内に吹出される。
【００３４】
上述のように送風機３９により送風が行われている冷房運転又は暖房運転中において、定期的にエアフィルタ４０の塵埃除去運転が行われる。
【００３５】
塵埃除去運転について図５乃至図９を用いて説明する。
図５に室内ユニット１の制御器１００のブロック図を示す。制御器１００は室内ユニット１の暖房運転及び冷房運転と、フィルタ清掃運転の運転制御を行うものである。
制御器１００には、操作部であるリモコン１０６と、初期位置センサ１０１及び反転センサ１０２と、ブラシ駆動モータ１０３及び移動用モータ８５と、送風機３９のファンモータ３９ａと、計時手段であるタイマ１０７が接続されている。
【００３６】
制御器１００によるフィルタ清掃運転の動作について図６を用いて説明する。
【００３７】
タイマ１０７により、暖房又は冷房運転中に送風機３９のファンモータ３９ａが所定時間駆動したことが検知されると、移動機構８０の移動用モータ８５が駆動され、塵埃除去運転が開始される。
【００３８】
初期状態（図６（ａ））において、塵埃除去手段５０と塵埃貯留容器６０及び遮蔽手段７０はエアフィルタ４０の前方端部に位置しており、初期位置センサ１０１によって初期状態であることが検知される。
【００３９】
制御器１００の指令により塵埃除去運転が開始されると、ブラシ駆動モータ１０３が回転され、移動用モータ８５が駆動される。そして、エアフィルタ４０下面に当接した回転ブラシ５１が時計回りに回転し、移動機構８０によって塵埃除去手段５０と塵埃貯留容器６０及び遮蔽手段７０がエアフィルタ４０は後方へ向かって往移動（図６（ｂ））する。これにより、エアフィルタ４０下面に付着した塵埃は回転ブラシ５１のブラシ部５１ｂに絡めとられる。
【００４０】
ブラシ部５１ｂに絡めとられた塵埃は、櫛部６２によって取除かれ、塵埃貯留容器６０内へ落下し貯留される。
【００４１】
塵埃除去手段５０と塵埃貯留容器６０及び遮蔽手段７０がエアフィルタ４０の後方端部に到達すると、反転用センサ１０２により検知され、制御器１００の指令により回転ブラシ５１の回転及び移動機構８０は一旦停止する。
【００４２】
その後、制御器１００の指令によりブラシ駆動モータ１０３が逆回転され、回転ブラシ５１が反時計回りに回転する。また、移動用モータ８５が反対方向に駆動され、移動機構８０によって塵埃除去手段５０と塵埃貯留容器６０及び遮蔽手段７０がエアフィルタ４０の前方へ向かって復移動（図６（ｄ））する。そして、往移動時と同様にエアフィルタ４０の下面に付着した塵埃をブラシ部５１ｂに絡めとり、塵埃貯留容器６０内へ貯留される。
【００４３】
復移動後（図６（ｅ））、塵埃除去手段５０と塵埃貯留容器６０及び遮蔽手段７０が初期位置へ戻ると初期位置センサ１０１に検知され、制御器１００の指令により移動用モータ８５が停止され、移動機構８０が停止する。その後、回転ブラシ５１は一定時間回転し続け、ブラシ部５１ｂに付着した塵埃を除去する。
【００４４】
以上のような塵埃除去運転は、冷房又は暖房運転中に所定時間毎に行われる。
また、冷房又は暖房運転中でない場合でも、使用者がリモコン１０６を操作することで、塵埃除去運転を行うことが出来る。この場合、室内熱交換器１０５での熱交換は行われず、送風機３９のファンモータ３９ａを駆動し、上記図６（ａ）乃至（ｅ）を用いて説明した動作により塵埃除去運転が行われる。
【００４５】
本実施形態の室内ユニット１は、塵埃除去手段５０の上部に遮蔽手段７０を設けることで、送風機３９の運転中であっても塵埃除去手段５０をさけて風が流れるので、送風の影響を受けることなくエアフィルタ４０に付着した塵埃を効率よく除去することができる。また、塵埃除去手段６０がエアフィルタ４０を押圧し、遮蔽手段７０へ押しあてられる。
【００４６】
これにより、回転ブラシ５１がエアフィルタ４０に確実に接触し、エアフィルタ４０に付着した塵埃を確実に掻き落とすことができる。また、塵埃除去手段７０をエアフィルタ４０に強く押圧した場合でも、遮蔽手段７０により反対側から押圧することでエアフィルタ４０の樹脂性の枠から繊維シートが剥離するのを防ぐことができる。
【００４７】
これにより、長時間の連続運転を行い、塵埃の付着量が大量となった空気調和機において、送風機３９による送風が行われている冷房、暖房運転中においても、塵埃除去運転を行うことができ、エアフィルタ４０の塵埃詰りによる空気調和機の性能低下を抑えることができる。
【００４８】
また、塵埃除去運転によりエアフィルタ４０から除去され塵埃貯留容器６０からこぼれ落ちた塵埃は、送風機３９の送風により吸上げられ、室内へ落下することがなく、次に行われる塵埃除去運転にて除去される。
【００４９】
（第２の実施形態）
次に第２の実施形態について図７及び図８を用いて説明する。なお、第１の実施形態と同様の構成については同じ符号を用いて説明を行う。
本第２の実施形態の室内ユニット１は、第１の実施形態の室内ユニット１と同様に、ケーシング本体１１と室内熱交換機１０５と送風機３９とエアフィルタ４０と塵埃除去手段５０と移動機構８０を有しており、異なる構成として遮蔽手段７０と、制御器１００を有している。
【００５０】
第２の実施形態における遮蔽手段７０は、塵埃除去手段５０の回転ブラシ５１への送風を一部遮断するものである。
【００５１】
図７（ａ）に遮蔽手段７０と緩衝材７０ａの下方斜視図を示し、図７（ｂ）にエアフィルタ４０と塵埃除去手段５０と塵埃貯留容器６０と遮蔽手段７０の斜視図を示す。
【００５２】
図７（ａ）に示すように遮蔽手段７０は、エアフィルタ４０と略同一の左右方向長さＭを有し、前後方向長さ寸法Ｌを有する矩形平板状に形成されている。また、遮蔽手段７０の下面には、前後方向の中央部（図７（ｂ）での回転ブラシ５１の回転軸直上）から後方端部にかけてエアフィルタ４０と接触する緩衝材７０ａが下方に突出して設けられている。
また、図７（ｂ）に示すように、幅方向中央（回転ブラシ５１の回転軸直上）から前方側の他端にかけては、エアフィルタ４０と遮蔽手段７０との間に隙間ができるため、送風機３９の送風により空気の流れが生じるようになっている。
【００５３】
これにより、送風機３９が送風を行っている状態において、遮蔽手段７０の前方側は隙間により送風が遮断されず通風され、後方側は緩衝材７０ａによって送風が遮断される。
これにより、塵埃除去手段５０の回転ブラシ５１の中央から遮蔽手段７０の隙間に面する部分には送風され、中央から緩衝材７０ａに面する部分には送風されない。
【００５４】
また、フィルタ４０、塵埃除去装置５０、塵埃貯留容器６０は、第１の実施形態と同様にベルト連結部材８６と移動機構８０（図４参照）を備えており、同時に前後方向に往復移動可能となっている。
さらに、室内ユニット１は、制御器１００には、回転ブラシ駆動モータ８５と、ファンモータ３９ａと、初期位置センサ１０１と、反転センサ１０２と、移動用モータ１０３と、タイマ１０７と、リモコン１０６が接続されており、第１の実施形態同様に機能する。
【００５５】
塵埃除去運転の動作について図８を用いて説明する。
冷房運転又は暖房運転中のように送風機３９により送風されている状態で塵埃除去運転が開始される。
【００５６】
初期状態（図８（ａ））において、塵埃除去手段５０と塵埃貯留容器６０及び遮蔽手段７０はエアフィルタ４０の前方端部に位置しており、初期位置センサ１０１によって検知される。
【００５７】
制御器１００の指令により塵埃除去運転が開始されると、ブラシ駆動モータ１０３が回転され、移動用モータ８５が駆動される。そして、エアフィルタ４０下面に当接した回転ブラシ５１が時計回りに回転し、移動機構８０によって塵埃除去手段５０と塵埃貯留容器６０及び遮蔽手段７０は、エアフィルタ４０の後方へ向かって往移動（図８（ｂ））する。これにより、エアフィルタ４０下面に付着した塵埃の一部は回転ブラシ５１のブラシ部５１ｂに絡めとられる。
この時、遮蔽手段７０の幅方向他端に設けられた隙間の負圧によって流れる空気流により、回転ブラシ５１の中心付近に付着した塵埃が、表出し櫛部６２によって塵埃貯留容器６０に回収される、又は脱落しエアフィルタ下部に付着する。
ブラシ部５１ｂに絡めとられた塵埃は、櫛部６２によって取除かれ、塵埃貯留容器６０内へ落下し貯留される。
【００５８】
塵埃除去手段５０と塵埃貯留容器６０及び遮蔽手段７０がエアフィルタ４０の後方端部に到達すると、反転用センサ１０２により検知され、制御器１００の指令により回転ブラシ５１の回転及び移動機構８０は一旦停止する。
【００５９】
その後、制御器１００の指令によりブラシ駆動モータ１０３が逆回転され、回転ブラシ５１が反時計回りに回転する。また、移動用モータ８５が駆動され、移動機構８０によって塵埃除去手段５０と塵埃貯留容器６０及び遮蔽手段７０がエアフィルタ４０の前方へ向かって復移動（図８（ｄ））する。そして、エアフィルタ４０の下面に付着した塵埃をブラシ部５１ｂに絡めとり、塵埃貯留容器６０内へ貯留される。
【００６０】
復移動後（図８（ｅ））、塵埃除去手段５０と塵埃貯留容器６０及び遮蔽手段７０が初期位置へ戻ると初期位置センサ１０１に検知され、制御器１００の指令により移動用モータ８５が停止され、移動機構８０が停止する。その後、回転ブラシ５１は一定時間回転し続け、ブラシ部５１ｂに付着した塵埃を除去する。
【００６１】
以上のような塵埃除去運転は、冷房又は暖房運転中に所定時間毎に行われる。
また、冷房又は暖房中でない場合に、使用者がリモコン１０６を操作することで、塵埃除去運転を行うことも出来る。この場合、室内熱交換器での熱交換は行われず、送風機３９のファンモータ３９ａを駆動し、上記図８（ａ）乃至（ｅ）を用いて説明した動作により塵埃除去運転が行われる。
【００６２】
上述のように、本実施形態のような塵埃除去運転において、塵埃除去手段５０がエアフィルタ４０の前側部から後側部へ往移動すると、送風機３９の送風により、回転ブラシ５１に風が当たり、回転ブラシ５１に付着した塵埃が離脱し易くなり、効率よく櫛部６２に塵埃が梳き取られる。復移動において、エアフィルタ４０に付着した塵埃を効率よく回転ブラシ５１により除去することができる。これにより、回転ブラシ５１に塵埃が堆積することなく、回転ブラシ５１の塵埃を捕捉する性能を低下させずにエアフィルタ４０の塵埃詰りを防止し、送風効率の低下しない室内ユニット１を提供することができる。
【００６３】
第１及び第２の実施形態に係る空気調和機の室内ユニットは４方向天井カセット式に係らず、送風機による送風を行いつつエアフィルタの塵埃除去運転が可能な種々の形態に応用してよい。例えば、壁掛け型の室内ユニットにおいては図９に示すように、エアフィルタ４０と塵埃除去手段５０と遮蔽手段７０を水平方向に対して傾ける、又は、９０°回転して設置しても良い。この場合、塵埃貯留容器６０と塵埃収集口６０ａは塵埃を回収できる範囲で種々の形態を用いて良い。また、櫛部６２は回転ブラシ５１の塵埃を除去し易い形態や配置を用いて良い。
【００６４】
第１及び第２の実施形態の塵埃除去手段５０は回転ブラシ５１を用いたが、塵埃を吸引する吸込みノズルを用いても良く、エアフィルタは円形やその他の形態を用いて良い。
エアフィルタを円形にする場合、塵埃除去手段５０と塵埃貯留容器６０及び遮蔽手段７０はエアフィルタの中心から周方向にかけて設けられ、エアフィルタの中心を回転軸として円周上に回転移動するのが好ましい。
【００６５】
本発明は、上記実施形態に限定されない。さらに、本発明の実施の形態に開示されている複数の構成要素を適宜組み合わせることにより種々の発明を形成できる。例えば、本発明の実施の形態に示される全構成要素から幾つかの構成要素を削除してもよい。更に、異なる実施の形態に亘る構成要素を適宜組み合わせてもよい。
【符号の説明】
【００６６】
１…室内ユニット、１１…ケーシング本体、１２…化粧パネル、２２…吸込口、２３…吹出口、２３ａ…風向調整板、２５…ベルマウス、３７…チャンバ、３９…送風機、３９ａ…ファンモータ、３９ｂ…羽根車、４０…エアフィルタ、５０…塵埃除去手段、５１…回転ブラシ、６０…塵埃貯留容器、６２…櫛部、７０…遮蔽手段、８０…移動機構、１００…制御器、１０１…初期位置センサ、１０２…反転用センサ、１０３…ブラシ駆動モータ、１０５…室内熱交換機、１０６…リモコン、１０７…タイマ
【図１】
2012112586.tif 000003
【図２】
2012112586.tif 000004
【図３】
2012112586.tif 000005
【図４】
2012112586.tif 000006
【図５】
2012112586.tif 000007
【図６】
2012112586.tif 000008
【図７】
2012112586.tif 000009
【図８】
2012112586.tif 000010
【図９】
2012112586.tif 000011